Podtech/llm-jp-corpus-v4-ja_patent huggingface dataset:
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
高次アンビソニックス・オーディオ信号からステレオ・ラウドスピーカー信号をデコードする方法であって、当該方法は：
ラウドスピーカー方位角値に基づき、かつ球上の仮想サンプリング点の数に基づいて決定された行列Gを受領する段階であって、前記行列Gは前記仮想サンプリング点すべてについてのパン関数値を含み、
前記パン関数値は前記球上の諸セグメントについて定義されたパン関数によって決定され、それらのセグメントのうちの異なるものは、前記パン関数のうちの異なるものに対応し、各セグメントは複数の源方向を含み、
前記ラウドスピーカー方位角値は対応するラウドスピーカー位置を定義する、段階と；
前記数および前記高次アンビソニックス・オーディオ信号の次数に基づいて決定されたモード行列を受領する段階と；
前記行列および前記モード行列に基づいてデコード行列を決定する段階と；
少なくとも一つのプロセッサにより、前記デコード行列および前記高次アンビソニックス・オーディオ信号に基づいて前記ステレオ・ラウドスピーカー信号を決定する段階と；
前記ステレオ・ラウドスピーカー信号を出力する段階とを含む、
方法。
【請求項２】
高次アンビソニックス・オーディオ信号からステレオ・ラウドスピーカー信号をデコードする装置であって、当該装置は：
ラウドスピーカー方位角値に基づき、かつ球上の仮想サンプリング点の数に基づいて決定された行列Gを受領するように構成された第一の受領器であって、前記行列Gは前記仮想サンプリング点すべてについてのパン関数値を含み、
前記パン関数値は前記球上の諸セグメントについて定義されたパン関数によって決定され、それらのセグメントのうちの異なるものは、前記パン関数のうちの異なるものに対応し、各セグメントは複数の源方向を含み、
前記ラウドスピーカー方位角値は対応するラウドスピーカー位置を定義する、段階と；
前記数および前記高次アンビソニックス・オーディオ信号の次数に基づくモード行列を受領するように構成された第二の受領器と；
前記行列および前記モード行列に基づいてデコード行列を決定するように構成されたプロセッサと；
前記デコード行列および前記高次アンビソニックス・オーディオ信号に基づいて前記ステレオ・ラウドスピーカー信号を決定し、前記ステレオ・ラウドスピーカー信号を出力するように構成されたレンダラーとを有する、
装置。
【請求項３】
一つまたは複数のプロセッサによって実行されると、前記一つまたは複数のプロセッサに動作を実行させる命令を記憶している非一時的なコンピュータ可読記憶媒体であって、前記動作は：
ラウドスピーカー方位角値に基づき、かつ球上の仮想サンプリング点の数に基づいて決定された行列Gを受領する段階であって、前記行列Gは前記仮想サンプリング点すべてについてのパン関数値を含み、
前記パン関数値は前記球上の諸セグメントについて定義されたパン関数によって決定され、それらのセグメントのうちの異なるものは、前記パン関数のうちの異なるものに対応し、各セグメントは複数の源方向を含み、
前記ラウドスピーカー方位角値は対応するラウドスピーカー位置を定義する、段階と；
前記数および前記高次アンビソニックス・オーディオ信号の次数に基づいて決定されたモード行列を受領する段階と；
前記行列および前記モード行列に基づいてデコード行列を決定する段階と；
少なくとも一つのプロセッサにより、前記デコード行列および前記高次アンビソニックス・オーディオ信号に基づいて前記ステレオ・ラウドスピーカー信号を決定する段階と；
前記ステレオ・ラウドスピーカー信号を出力する段階とを含む、
記憶媒体。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
回収された廃材である、ポリエステルフィルムの表面に機能層を備える積層ポリエステルフィルムから、該ポリエステルフィルムを溶解する洗浄剤を用いて機能層を除去する機能層除去手段と、
該機能層を除去したポリエステルフィルムを回収する回収手段と、
該回収されたポリエステルフィルムを原料としてリサイクルポリエステル製品を製造する製造手段とを有し、
前記機能層が、アクリル系粘接着層及びアクリル系ハードコート層のいずれかである、ポリエステルのリサイクルシステム。
【請求項２】
前記製造手段が、前記機能層を除去したポリエステルフィルムをペレット化するペレット製造手段を有する、請求項１に記載のポリエステルのリサイクルシステム。
【請求項３】
前記洗浄剤が、アルカリ性化剤を含む洗浄剤である、請求項１又は２に記載のポリエステルのリサイクルシステム。
【請求項４】
前記アルカリ性化剤として、無機アルカリ性化剤及び有機アルカリ性化剤を含む、請求項３に記載のポリエステルのリサイクルシステム。
【請求項５】
前記アルカリ性化剤として、２種以上の無機アルカリ性化剤を使用する、請求項３又は４に記載のポリエステルのリサイクルシステム。
【請求項６】
前記洗浄剤が、少なくとも一つの水酸基を有する化合物を含む、請求項１〜５のいずれか１項に記載のポリエステルのリサイクルシステム。
【請求項７】
前記少なくとも一つの水酸基を有する化合物として、酸性度定数（ｐＫａ）９．３以上１５．４以下のアルコール類を含む、請求項６に記載のポリエステルのリサイクルシステム。
【請求項８】
前記少なくとも一つの水酸基を有する化合物として、ベンジルアルコールを含む、請求項６又は７に記載のポリエステルのリサイクルシステム。
【請求項９】
前記少なくとも一つの水酸基を有する化合物として、２種類以上のアルコール類を含む、請求項６〜８のいずれか１項に記載のポリエステルのリサイクルシステム。
【請求項１０】
前記２種類以上のアルコール類として、疎水性単価アルコールと水溶性単価アルコールを含む、請求項９に記載のポリエステルのリサイクルシステム。
【請求項１１】
前記機能層除去手段で、機能層を除去したポリエステルフィルムに付着した洗浄剤を、洗い流すリンス手段をさらに備える請求項１〜１０のいずれか１項に記載のポリエステルのリサイクルシステム。
【請求項１２】
前記廃材が、ロール状又は塊状の積層ポリエステルフィルムである請求項１〜１１のいずれか１項に記載のポリエステルのリサイクルシステム。
【請求項１３】
前記機能層除去手段の前段に巻き出し手段又は裁断手段をさらに備える請求項１〜１２のいずれか１項に記載のポリエステルのリサイクルシステム。
【請求項１４】
ロールトゥロール方式が適用される請求項１〜１３のいずれか１項に記載のポリエステルのリサイクルシステム。
【請求項１５】
廃材であり、かつポリエステルフィルムの表面に機能層を備える積層ポリエステルフィルムを回収する回収工程（Ａ）と、
該積層ポリエステルフィルムから、該ポリエステルフィルムを溶解する洗浄剤を用いて機能層を除去する機能層除去工程と、
機能層を除去したポリエステルフィルムを回収する回収工程（Ｂ）と、
該回収工程（Ｂ）で回収されたポリエステルフィルムを原料としてリサイクルポリエステル製品を製造する製造工程とを有し、
前記機能層は、アクリル系粘接着層及びアクリル系ハードコート層のいずれかである、ポリエステルのリサイクル方法。
【請求項１６】
前記製造工程が、前記機能層を除去したポリエステルフィルムをペレット化するペレット製造工程を有する、請求項１５に記載のポリエステルのリサイクル方法。
【請求項１７】
前記洗浄剤が、アルカリ性化剤を含む洗浄剤である、請求項１５又は１６に記載のポリエステルのリサイクル方法。
【請求項１８】
前記アルカリ性化剤として、無機アルカリ性化剤及び有機アルカリ性化剤を含む、請求項１７記載のポリエステルのリサイクル方法。
【請求項１９】
前記アルカリ性化剤として、２種以上の無機アルカリ性化剤を使用する、請求項１７又は１８に記載のポリエステルのリサイクル方法。
【請求項２０】
前記洗浄剤が、少なくとも一つの水酸基を有する化合物を含む、請求項１５〜１９のいずれか１項に記載のポリエステルのリサイクル方法。
【請求項２１】
前記少なくとも一つの水酸基を有する化合物として、酸性度定数（ｐＫａ）９．３以上１５．４以下のアルコール類を含む、請求項２０に記載のポリエステルのリサイクル方法。
【請求項２２】
前記少なくとも一つの水酸基を有する化合物として、ベンジルアルコールを含む、請求項２０又は２１に記載のポリエステルのリサイクル方法。
【請求項２３】
前記少なくとも一つの水酸基を有する化合物として、２種類以上のアルコール類を含む、請求項２０〜２２のいずれか１項に記載のポリエステルのリサイクル方法。
【請求項２４】
前記２種類以上のアルコール類として、疎水性単価アルコールと水溶性単価アルコールを含む、請求項２３に記載のポリエステルのリサイクル方法。
【請求項２５】
前記機能層除去工程において、機能層を除去したポリエステルフィルムに付着した洗浄剤を洗い流すリンス工程をさらに備える請求項１５〜２４のいずれか１項に記載のポリエステルのリサイクル方法。
【請求項２６】
前記回収工程（Ａ）において、ロール状又は塊状の廃ポリエステルフィルムを回収する請求項１５〜２５のいずれか１項に記載のポリエステルのリサイクル方法。
【請求項２７】
前記機能層除去工程の前段に巻き出し工程又は裁断工程をさらに備える請求項１５〜２６のいずれか１項に記載のポリエステルのリサイクル方法。
【請求項２８】
ロールトゥロール方式で行われる請求項１５〜２７のいずれか１項に記載のポリエステルのリサイクル方法。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
少なくとも一対のフラップを有する箱体に被梱包物を梱包する梱包システムであって、
前記箱体の内部の底面に第１の接着部材を貼付するとともに、前記一対のフラップのそれぞれに第２の接着部材を貼付する貼付装置と、
前記第１の接着部材によってフィルムを前記底面と接着させるとともに、前記第２の接着部材によって前記フィルムを前記一対のフラップのそれぞれと接着させる接着装置と、
前記フィルムが接着された箱体の内部に被梱包物を配置する配置装置と、
前記フィルムを前記一対のフラップのそれぞれから剥離させ、前記被梱包物に被せることにより前記被梱包物を被覆する被覆装置と、
を有することを特徴とする梱包システム。
【請求項２】
前記第２の接着部材の接着強度は、前記第１の接着部材の接着強度よりも小さい、
請求項１に記載の梱包システム。
【請求項３】
前記貼付装置は、前記底面に前記第１の接着部材として第１のホットメルト接着剤を塗布するとともに、前記一対のフラップのそれぞれに前記第２の接着部材として第２のホットメルト接着剤を、単位面積当たりの塗布量が前記第１のホットメルト接着剤よりも少なくなるように塗布する、
請求項１又は２に記載の梱包システム。
【請求項４】
前記貼付装置は、前記第１のホットメルト接着剤をビード状に塗布するとともに、前記第２のホットメルト接着剤をスパイラル状に又はスプレーによって塗布する、
請求項３に記載の梱包システム。
【請求項５】
前記被覆装置は、
前記フィルムの一端を把持して前記フィルムの他端の方向に引くことにより、前記フィルムを前記一対のフラップのうちの一方のフラップから剥離させて前記被梱包物に被せるとともに、前記フィルムの他端を把持して前記一端の方向に引くことにより、前記フィルムを前記一方のフラップと異なる他方のフラップから剥離させて前記被梱包物に被せる把持部と、
前記把持部により被せられたフィルムを前記箱体の内部に押込む押込部と、を有する、
請求項１−４の何れか一項に記載の梱包システム。
【請求項６】
前記被梱包物を被覆しているフィルムを加熱することにより収縮させる収縮装置をさらに有する、
請求項１−５の何れか一項に記載の梱包システム。
【請求項７】
少なくとも一対のフラップを有する箱体に被梱包物を梱包する梱包方法であって、
前記箱体の内部の底面に第１の接着部材を貼付するとともに、前記一対のフラップのそれぞれに第２の接着部材を貼付し、
前記第１の接着部材によってフィルムを前記底面と接着させるとともに、前記第２の接着部材によって前記フィルムを前記一対のフラップのそれぞれと接着させ、
前記フィルムが接着された箱体の内部に被梱包物を配置し、
前記フィルムの両端を前記一対のフラップのそれぞれから剥離させ、前記被梱包物に被せることにより前記被梱包物を被覆する、
ことを含むことを特徴とする梱包方法。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
複数種の識別図柄を含む識別図柄群が複数設定され、各識別図柄群から選択されて表示装置に示される識別図柄の組み合わせにより当否判定結果が報知される遊技機であって、
ある前記識別図柄群に含まれる複数種の識別図柄のうちの一つである演出対象図柄が、当該識別図柄群から選択されて示される選択決定図柄となるか否かを示す図柄煽り演出が実行可能であり、
前記図柄煽り演出にて前記演出対象図柄となりうる候補図柄として、特定種の前記識別図柄である特定候補図柄、および、前記特定種とは別種の前記識別図柄である通常候補図柄が設定されており、
前記図柄煽り演出において、前記候補図柄のそれぞれが前記演出対象図柄とされる蓋然性は、前記通常候補図柄よりも前記特定候補図柄の方が低いことを特徴とする遊技機。
【請求項２】
前記複数種の識別図柄のうちのいずれかである特定識別図柄にてリーチが成立した場合には、当該特定識別図柄以外の識別図柄にてリーチが成立した場合よりも当否判定結果が当たりとなる蓋然性が高くなるように設定されており、
前記複数種の識別図柄には所定の順が設定されており、前記図柄煽り演出は、前記演出対象図柄が前記選択決定図柄となるか、または、前記所定の順で前記演出対象図柄の一つ後の前記識別図柄が前記演出決定図柄となる結末に至るものであり、
前記特定候補図柄は、前記所定の順で前記特定識別図柄の一つ前の識別図柄であることを特徴とする請求項１に記載の遊技機。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
第１方向と、前記第１方向に直交する第２方向と、前記第１方向及び前記第２方向と直交する厚さ方向と、
伸縮性を有する伸縮シートと、
前記第１方向に伸長した状態で前記伸縮シートと前記厚さ方向に重なるように配置された糸状又は帯状の弾性部材と、を有する吸収性物品であって、
少なくとも前記伸縮シートにより前記第１方向に収縮性を有するシート領域を有し、
前記シート領域は、
前記弾性部材が前記伸縮シートと前記厚さ方向において重なるように配置されている高収縮シート領域と、
前記第１方向において前記高収縮シート領域よりも低い収縮性を有する低収縮シート領域と、を有し、
前記高収縮シート領域と前記低収縮シート領域とが、前記第１方向に並んで配置されている、吸収性物品。
【請求項２】
前記低収縮シート領域は、前記第１方向において、前記高収縮シート領域の間に配置されている請求項１に記載の吸収性物品。
【請求項３】
前記シート領域は、
前記高収縮シート領域と前記低収縮シート領域とが、前記第１方向に並んで配置されている第１領域と、
前記第１方向において前記高収縮シート領域のみが配置されている第２領域と、を有し、
前記第２領域と、少なくとも前記第１領域の低収縮シート領域とが、前記第２方向に並んで配置されている請求項１又は２に記載の吸収性物品。
【請求項４】
前記第１方向は、幅方向であり、前記第２方向は、前後方向であり、
第１胴回り域と、第２胴回り域と、前記第１胴回り域及び前記第２胴回り域に前記前後方向で挟まれている股下域と、
前記第１胴回り域に配置され、かつ前記シート領域を有する外装体と、を有する請求項１から３のいずれか１項に記載の吸収性物品。
【請求項５】
前記第１胴回り域は、前胴回り域であり、
前記低収縮シート領域は、前記外装体の前記幅方向の中心を跨いで配置されており、
前記高収縮シート領域は、前記低収縮シート領域よりも前記幅方向のそれぞれの外側に位置する請求項４に記載の吸収性物品。
【請求項６】
前記低収縮シート領域の幅方向の両方の外側縁は、前後方向の外側に向かうにつれ、前記幅方向の外側に位置する請求項１から５のいずれか１項に記載の吸収性物品。
【請求項７】
前記低収縮シート領域の前記前後方向の外端縁の前記幅方向の長さは、前記低収縮シート領域の前記前後方向の内端縁の前記幅方向の長さの２倍以上である請求項６に記載の吸収性物品。
【請求項８】
吸収コアを有し、かつ少なくとも股下域に配置されている吸収性本体を有し、
前記低収縮シート領域の前記外側縁の少なくとも一部は、前記吸収性本体の外側縁よりも前記幅方向の外側に位置する請求項６又は７に記載の吸収性物品。
【請求項９】
吸収コアを有し、かつ少なくとも股下域に配置されている吸収性本体を有し、
前記高収縮シート領域の一部は、前記厚さ方向において、前記吸収性本体と重なっている請求項６から８のいずれか１項に記載の吸収性物品。
【請求項１０】
前記高収縮シート領域の一部は、前記厚さ方向において、前記吸収コアと重なっている請求項９に記載の吸収性物品。
【請求項１１】
前記低収縮シート領域を構成する前記伸縮シートに、１以上の切れ目が形成されている請求項１から１０のいずれか１項に記載の吸収性物品。
【請求項１２】
第１方向と、前記第１方向に直交する第２方向と、前記第１方向及び前記第２方向と直交する厚さ方向と、
伸縮性を有する伸縮シートと、
前記第１方向に伸長した状態で前記伸縮シートと前記厚さ方向に重なるように配置された糸状又は帯状の弾性部材と、有するシート部材であって、
少なくとも前記伸縮シートにより前記第１方向に収縮性を有するシート領域を有し、
前記シート領域は、
前記弾性部材が前記厚さ方向において前記伸縮シートと重なるように配置されている高収縮シート領域と、
前記第１方向において前記高収縮シート領域よりも低い収縮性を有する低収縮シート領域と、を有し、
前記高収縮シート領域と前記低収縮シート領域とが、前記第１方向に並んで配置されている、シート部材。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
前後方向と、前記前後方向に直交する幅方向と、
前胴回り域、後胴回り域、及び前記前胴回り域と前記後胴回り域とに前記前後方向で挟まれている股下域と、
吸収コアを有し、かつ少なくとも前記股下域に配置されている吸収性本体と、
前記前胴回り域に配置されている前外装体と、
前記後胴回り域に配置されている後外装体と、を有する吸収性物品であって、
前記前外装体は、収縮性を有する収縮領域と、前記収縮領域よりも収縮力が低減されている低収縮領域と、を有し、
前記収縮領域は、
前記前外装体の前記幅方向の一方の側部から前記前外装体の前記幅方向の他方の側部まで延びる前連続収縮領域と、
前記前連続収縮領域よりも前記前後方向の外側に位置する第１収縮領域と、
前記前連続収縮領域よりも前記前後方向の内側に位置する第２収縮領域と、を有し、
前記低収縮領域は、前記前連続収縮領域よりも前記前後方向の外側に位置する第１低収縮領域と、前記前連続収縮領域よりも前記前後方向の内側に位置する第２低収縮領域と、
を有し、
前記後外装体は、収縮性を有し、かつ前記後外装体の前記幅方向の一方の側部から前記後外装体の前記幅方向の他方の側部まで延びる後連続収縮領域と、を有し、
前記前外装体と前記後外装体とが接合された状態において、前記前連続収縮領域の少なくとも一部と前記後連続収縮領域の少なくとも一部とが前記幅方向に隣接している、吸収性物品。
【請求項２】
前記低収縮領域は、前記前外装体の前記幅方向の中心を跨ぐように配置されており、
前記第１収縮領域は、前記第１低収縮領域よりも前記幅方向の外側に配置されており、
前記第２収縮領域は、前記第２低収縮領域よりも前記幅方向の外側に配置されている請求項１に記載の吸収性物品。
【請求項３】
前記第１低収縮領域は、前記吸収性本体の前記前後方向の外端縁を跨がって配置されている請求項１又は２に記載の吸収性物品。
【請求項４】
前記前外装体の前記幅方向の外側部と、前記後外装体の前記幅方向の外側部とを接合するサイド接合部を有し、
前記前後方向において、前記前連続収縮領域は、前記サイド接合部の前記前後方向の外端縁を起点として、前記サイド接合部の前記前後方向の長さの６０％から８０％までの領域に配置されている請求項１から３のいずれか１項に記載の吸収性物品。
【請求項５】
前記前連続収縮領域は、厚さ方向において、前記吸収コアと重なる領域に配置されている、請求項１から４のいずれか１項に記載の吸収性物品。
【請求項６】
前記吸収コアは、厚さ方向において前記前連続収縮領域と重なる領域において、周囲よりも坪量が低い低坪量部を有する請求項１から５のいずれか１項に記載の吸収性物品。
【請求項７】
前記前連続収縮領域に配置されている前弾性部材の伸長倍率は、前記後連続収縮領域に配置されている後弾性部材の伸長倍率よりも高い請求項１から６のいずれか１項に記載の吸収性物品。
【請求項８】
前記低収縮領域は、前記前外装体の前記幅方向の中心を跨ぐように配置されており、
前記第１収縮領域は、前記第１低収縮領域よりも前記幅方向の外側に配置されており、
前記第１低収縮領域の前記幅方向の両方の外側縁は、前記前後方向の外側に向かうにつれ、前記幅方向の外側に位置する請求項１から７のいずれか１項に記載の吸収性物品。
【請求項９】
前記第１低収縮領域の前記前後方向の外端縁の前記幅方向の長さは、前記第１低収縮領域の前記前後方向の内端縁の前記幅方向の長さの２倍以上である請求項８に記載の吸収性物品。
【請求項１０】
前記第１低収縮領域の外側縁の少なくとも一部は、前記吸収性本体の外側縁よりも前記幅方向の外側に位置する請求項８又は９に記載の吸収性物品。
【請求項１１】
前記第１収縮領域の一部は、厚さ方向において、前記吸収性本体と重なっている請求項８から１０のいずれか１項に記載の吸収性物品。
【請求項１２】
前記第１収縮領域の一部は、前記厚さ方向において、前記吸収コアと重なっている請求項１１に記載の吸収性物品。
【請求項１３】
前記第１低収縮領域の前記幅方向の最大長さは、前記第２低収縮領域の前記幅方向の最大長さよりも長く、
前記第１低収縮領域の面積は、前記第２低収縮領域の面積よりも大きい請求項１から１２のいずれか１項に記載の吸収性物品。
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
図柄を表示可能な表示部と、
遊技球を発射する発射手段と、
該発射手段により発射された遊技球が進入した場合に始動条件が成立する始動口と、
前記始動条件が成立した場合に所定の抽選を行う抽選手段と、
前記始動条件が成立した場合に、前記表示部にて、前記図柄の変動表示を行った後、前記抽選結果に応じた図柄を停止図柄とする停止表示する変動実行手段と、
前記抽選結果が所定の第１結果である場合、前記変動実行手段によって当該第１結果を示す停止図柄の停止表示が行われた後、通常遊技状態より有利な特別遊技状態を発生する遊技制御手段と、
前記抽選結果のうち、前記変動実行手段による図柄の変動表示の実行が保留されている抽選結果を、所定個数を上限として所定の保留記憶部に記憶可能な保留記憶手段と、
該保留記憶手段により前記保留記憶部に記憶された抽選結果の数が上限に達した場合に、所定の第１確率で、所定の第１期間において所定の特別演出を実行する特別演出実行手段と、を備え、
前記特別演出実行手段は、前記保留記憶部に記憶された抽選結果の数が上限に達した後に設けられる期間であって、前記第１期間の終了時期と同時に、又は当該第１期間の終了時期より早い時期に、終了時期を迎える所定の第２期間内に、前記発射手段により発射された遊技球によって成立可能な所定の延長条件が成立した場合に、前記第１期間の終了時期を延長する期間延長手段を備えていることを特徴とする遊技機。
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
図柄を表示可能な表示部と、
所定の始動条件が成立した場合に所定の抽選を行う抽選手段と、
前記始動条件が成立した場合に、前記表示部にて、前記図柄の変動表示を行った後、前記所定の抽選による抽選結果に応じた図柄を停止図柄として停止表示する変動実行手段と、
前記所定の抽選による抽選結果が所定の第１結果である場合、前記変動実行手段によって当該第１結果を示す停止図柄の停止表示が行われた後、通常遊技状態より有利な特別遊技状態を発生する遊技制御手段と、
前記所定の抽選による抽選結果のうち、前記変動実行手段による図柄の変動表示の実行が保留されている抽選結果を、所定個数を上限として所定の保留記憶部に記憶可能な保留記憶手段と、
前記所定の抽選にて前記第１結果が選ばれる抽選確率または前記所定の抽選とは異なる第２の抽選にて所定の抽選結果が選ばれる抽選確率として設定される確率に対応する所定の設定情報を少なくとも記憶可能な情報記憶部と、
前記所定の抽選にて前記第１結果が選ばれる抽選確率または前記所定の抽選とは異なる第２の抽選にて所定の抽選結果が選ばれる抽選確率として設定可能な複数の確率のうち、１の確率に対応する前記設定情報を選択する操作に対応する操作情報を入力可能な入力手段と、
前記入力手段により前記操作情報が入力された場合、当該操作情報に対応する操作によって選択された前記設定情報を前記情報記憶部に記憶する設定情報記憶手段と、
前記保留記憶手段により前記保留記憶部に記憶された抽選結果の数が上限に達した場合に、前記情報記憶部に記憶される前記設定情報に対応する設定出力情報を所定の確率で出力する設定出力手段と、を備えていることを特徴とする遊技機。
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
所定の抽選を行う抽選手段と、
該抽選手段による抽選の抽選確率に対応する所定の設定情報を少なくとも記憶可能な記憶部と、
前記抽選手段による抽選確率として設定可能な複数の確率の各々に対応する複数の前記設定情報のうち、１の前記設定情報を選択する操作に対応する操作情報を入力可能な入力手段と、
前記入力手段により前記操作情報が入力された場合、当該操作情報に対応する操作によって選択された前記設定情報を、前記抽選手段による抽選確率に対応する前記設定情報として前記記憶部に記憶する記憶制御手段と、
遊技球が進入可能な入球口と、
該入球口に進入した遊技球を検出する検出手段と、
該検出手段により遊技球が検出された場合に所定の特典を付与する特典付与手段と、
前記入球口への遊技球の進入を許容する進入許容状態と、前記入球口への遊技球の進入を規制する進入規制状態との間で切替可能に動作する可動部材と、
前記所定の抽選を行う制御を少なくとも含む通常制御が実行されない所定の状態報知条件が成立している場合、前記可動部材を動作させる動作確認手段と、を備えていることを特徴とする遊技機。
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
遊技の主たる制御を行う主制御手段と、該主制御手段からの制御信号に基づいて制御を行う副制御手段とを備えた遊技機であって、
所定の抽選を行う抽選手段と、
該抽選手段による抽選の抽選確率に対応する所定の設定情報を少なくとも記憶可能な記憶部と、
前記抽選手段による抽選確率として設定可能な複数の確率の各々に対応する複数の前記設定情報のうち、１の前記設定情報を選択する操作に対応する操作情報を入力可能な入力手段と、
前記入力手段により前記操作情報が入力された場合、当該操作情報に対応する操作によって選択された前記設定情報を、前記抽選手段による抽選確率に対応する前記設定情報として前記記憶部に記憶する記憶制御手段と、
前記主制御手段による制御によって動作する主側電気部品と、を備え、
前記主制御手段は、電源を投入した場合に前記記憶部に前記設定情報が記憶されていない場合、前記主側電気部品を動作させる動作確認手段を備えていることを特徴とする遊技機。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
現在の位置が所定の位置条件を満たす第１端末に対し第１ゲーム効果を設定し、現在の位置が前記位置条件を満たさず、かつ、所定条件を満たす第２端末に対し前記第１ゲーム効果とは異なるゲーム効果を設定する、
情報処理装置。
【請求項２】
前記第２端末の過去の位置が前記位置条件を満たす場合に、前記第２端末に対し第２ゲーム効果を設定する、
請求項１に記載の情報処理装置。
【請求項３】
前記第１ゲーム効果として、クエストに関するパラメータを設定し、
前記第２ゲーム効果として、前記第１ゲーム効果よりもプレイヤに不利となるように前記パラメータを設定する、
請求項２に記載の情報処理装置。
【請求項４】
現在または過去の位置が前記位置条件を満たす所定端末とのマルチプレイに前記第２端末が参加している場合に、前記第２端末に対し第３ゲーム効果を設定する、
請求項１から３のいずれか一項に記載の情報処理装置。
【請求項５】
前記所定端末の現在の位置が前記位置条件を満たす場合と、前記所定端末の現在の位置が前記位置条件を満たさず前記所定端末の過去の位置が前記位置条件を満たす場合とで、異なるゲーム効果を前記第２端末に設定する、
請求項４に記載の情報処理装置。
【請求項６】
プレイヤの要求に応じてプレイヤの端末の位置に対応する仮想空間上の位置に対応付けたフラグを登録し、
前記第２端末が、前記フラグの位置に対して所定の第２位置条件を満たす場合に、前記第２端末に対し第４ゲーム効果を設定する、
請求項１から５のいずれか一項に記載の情報処理装置。
【請求項７】
コンピュータが、
現在の位置が所定の位置条件を満たす第１端末に対し第１ゲーム効果を設定し、現在の位置が前記位置条件を満たさず、かつ、所定条件を満たす第２端末に対し前記第１ゲーム効果とは異なるゲーム効果を設定する、
情報処理方法。
【請求項８】
現在の位置が所定の位置条件を満たす第１端末に対し第１ゲーム効果を設定し、現在の位置が前記位置条件を満たさず、かつ、所定条件を満たす第２端末に対し前記第１ゲーム効果とは異なるゲーム効果を設定するステップを、コンピュータに実現させる、
プログラム。
【手続補正書】
【提出日】令和3年6月25日(2021.6.25)
【手続補正１】
【補正対象書類名】明細書
【補正対象項目名】００１５
【補正方法】変更
【補正の内容】
【００１５】
生理用ナプキン１０は、表面シート１１、裏面シート１２及びサイドシート１４から形成された、吸収体２０の第１及び第２端縁２０ａ，２０ｂの縦方向Ｙの外側において横方向Ｘへ延びる両端部１６と、吸収体２０の第１及び第２側縁２０ｃ，２０ｄの横方向Ｘの外側において縦方向Ｙへ延びる両側縁部１７とを有する。生理用ナプキン１０の縦方向Ｙの中央部分には、横方向Ｘの外側へ凸となる、両側縁部１７の一部によって形成されたウイング部１８が位置する。また、互いに積層されたシート１１，１２，１４は、生理用ナプキン１０の外周縁に沿って位置する外周シール部１９を介して互いに接合されている。
【手続補正２】
【補正対象書類名】明細書
【補正対象項目名】００１６
【補正方法】変更
【補正の内容】
【００１６】
図２を参照すると、生理用ナプキン１０の裏面側には、複数の止着域３０が配置される。複数の止着域３０は、生理用ナプキン１０を下着等の被服に止着するためのものであって、縦方向Ｙへ延びる複数のライン状に塗布された粘着剤や感圧性接着剤から形成される。止着域３０は、吸収体２０と重なる領域において縦方向Ｙへ延びる中央域３１と、ウイング部１８に位置するサイド域３２とを有する。止着域３０は、プラスチックフィルム製のセパレータ(図示せず)によって被覆される。
【手続補正３】
【補正対象書類名】明細書
【補正対象項目名】００３６
【補正方法】変更
【補正の内容】
【００３６】
織物４０の厚さ寸法Ｄ２に対して、繊維ウエブ５０のうちの織物４０の上面４０ｂから上方に延びる上方延出部分５３の厚さ寸法Ｄ３は、１．１〜４．０倍であることが好ましい。厚さ寸法Ｄ３が相対的にかかる大きさを有する場合には、掻き取り性とリウエット現象の抑制とを両立することができる。すなわち、厚さ寸法Ｄ３が厚さ寸法Ｄ２の１．１倍未満の場合には、織物４０が肌に近くなるのでより掻き取り性が高くなるといえるが、繊維ウエブ５０のみの部分が比較的に肉薄であって疎水性繊維を含む繊維ウエブ５０によってリウエット現象を効果的に抑制することができない。一方、厚さ寸法Ｄ３が厚さ寸法Ｄ２の４．０倍を超える場合には、比較的に肉厚な繊維ウエブ５０の上方延出部分５３によってリウエット現象を抑制することができるとともに構成繊維５１を伝って体液を引き込むことができるといえるが、織物４０が肌から離れて位置することから、肌に付着した経血を掻き取り難くなる。
【手続補正４】
【補正対象書類名】明細書
【補正対象項目名】００３８
【補正方法】変更
【補正の内容】
【００３８】
繊維ウエブ５０の上方延出部分５３は、厚さ寸法Ｄ３が比較的に小さい複数の嵩低部分５４と、厚さ寸法Ｄ３が比較的に大きい複数の嵩高部分５５とを有する。繊維ウエブ５０の下方延出部分５２が凹凸状を有することによって、下方に位置する織物４０とともに肌に付着した経血を効果的に掻き取ることができる。
【手続補正５】
【補正対象書類名】明細書
【補正対象項目名】００３９
【補正方法】変更
【補正の内容】
【００３９】
また、表面シート１１が流体交絡法によって形成される場合には、高圧噴射された流体が直接当たる下方延出部分５２では、繊維ウエブ５０のうちのノズルから噴射された流体が直接当たる部分が他の部分に比べて嵩低になる。嵩低部分５６は流体が直接当たる部分を含み、その場合には、嵩低部分５６は嵩高部分５７よりも繊維密度が高くなっている。したがって、織物４０から下方の下方延出部分５２へ移行された体液は、比較的に高い繊維密度を有する嵩低部分５６において嵩高部分５７に比べて速やかにさらに下方に位置する吸収体に移行させることができる。
【手続補正６】
【補正対象書類名】明細書
【補正対象項目名】００４１
【補正方法】変更
【補正の内容】
【００４１】
繊維ウエブ５０の構成繊維５１は、繊度が０．８〜６．０ｄｔｅｘ、好ましくは、１．０〜４．４ｄｔｅｘ、より好ましくは１．３〜３．３ｄｔｅｘ、繊維長が２５〜６４ｍｍ、好ましくは、３２〜５８ｍｍ、さらに好ましくは３８〜５１ｍｍの短繊維であって、撚糸からなる構成糸４１の繊度は、１０〜１００綿番手、好ましくは２０〜６０綿番手、さらに好ましくは３０〜４５綿番手である。繊維ウエブ５０の構成繊維５１が短繊維であることから、繊維ウエブ５０には複数の繊維末端が存在し、繊維末端がそれよりも繊度の大きな原糸の撚られた隙間に入り込んだり、構成糸４１にまとわり付くように巻回することによって、繊維ウエブ５０が織物４０に安定的に交絡される。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定可能とするために操作される設定操作手段を備える遊技機であって、
前記遊技制御手段は、遊技に関連する情報を記憶可能な第１の記憶領域を有する記憶手段を有し、
前記遊技制御手段は、
第１の条件を用いて前記第１の記憶領域が異常であるかを判定する第１の異常判定処理と、
第２の条件を用いて前記第１の記憶領域が異常であるかを判定する第２の異常判定処理とを実行し、
前記第１の異常判定処理または、第２の異常判定処理において、異常と判定された場合には、前記記憶手段の少なくとも一部の領域を初期化可能とする初期化手段を備え、
前記初期化手段は、前記第１の異常判定処理により異常と判定された場合と前記第２の異常判定処理により異常と判定された場合とで、前記記憶手段の異なる領域を初期化する
ことを特徴とする遊技機。
【手続補正２】
【補正対象書類名】明細書
【補正対象項目名】０００６
【補正方法】変更
【補正の内容】
【０００６】
本発明は、  所定条件が成立したことに伴い、遊技者に有益となる特別遊技の抽選を行う遊技制御手段と、前記遊技制御手段が行う制御に関する設定値を設定可能とするために操作される設定操作手段を備える遊技機であって、前記遊技制御手段は、遊技に関連する情報を記憶可能な第１の記憶領域を有する記憶手段を有し、前記遊技制御手段は、第１の条件を用いて前記第１の記憶領域が異常であるかを判定する第１の異常判定処理と、第２の条件を用いて前記第１の記憶領域が異常であるかを判定する第２の異常判定処理とを実行し、前記第１の異常判定処理と第２の異常判定処理において、異常と判定された場合には、前記記憶手段の少なくとも一部の領域を初期化可能とする初期化手段を備え、前記初期化手段は、前記第１の異常判定処理により異常と判定された場合と前記第２の異常判定処理により異常と判定された場合とで、前記記憶手段の異なる領域を初期化することを特徴とする（例えば、段落１１５４〜段落２２８２、図１２９〜図２３２などを参照）。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段からの指示に従って遊技における演出を制御する周辺制御手段と、
前記遊技制御手段が行う制御に関する設定値を変更するために操作される設定操作手段と、を備える遊技機であって、
前記遊技制御手段は、遊技の進行に伴う情報を記憶する記憶手段を有し、
前記記憶手段は、第１の記憶領域と、前記第１の記憶領域とは異なる第２の記憶領域と、を含み、
電源投入時に所定条件が成立した状況下においては、前記第１の記憶領域を初期化するとともに前記第２の記憶領域も初期化を可能とし、
電源投入時に所定条件が成立しなかった状況下においては、前記第１の記憶領域を初期化することなく、前記第２の記憶領域の初期化を可能とすることを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段からの指示に従って遊技における演出を制御する周辺制御手段と、前記遊技制御手段が行う制御に関する設定値を変更するために操作される設定操作手段と、を備える遊技機であって、前記遊技制御手段は、遊技の進行に伴う情報を記憶する記憶手段を有し、前記記憶手段は、第１の記憶領域と、前記第１の記憶領域とは異なる第２の記憶領域と、を含み、電源投入時に所定条件が成立した状況下においては、前記第１の記憶領域を初期化するとともに前記第２の記憶領域も初期化を可能とし、電源投入時に所定条件が成立しなかった状況下においては、前記第１の記憶領域を初期化することなく、前記第２の記憶領域の初期化を可能とすることを特徴とする（例えば、段落１１５４〜段落２２８２、図１２９〜図２３２などを参照）。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
可変表示可能な表示手段を備え、可変表示が停止したときの表示結果に応じて特典を付与可能な遊技機において、
有利度が異なる複数の設定値のうちいずれかの設定値を設定する設定手段と、
前記設定値に関する情報を示唆可能な示唆演出を実行する示唆演出実行手段と、
特定条件が成立することにより特定期間に制御する特定期間制御手段と、を備え、
所定条件が成立することにより前記示唆演出実行手段によって実行され得る特定示唆演出については、当該所定条件が前記特定期間以外の期間において成立したときよりも前記特定期間において成立したときの方が遊技者にとって有利な情報を示唆する、遊技機。
【請求項２】
前記示唆演出実行手段は、前記所定条件が前記特定期間以外の期間において成立したときには前記複数の設定値のうち第１設定値および当該第１設定値よりも前記有利度が低い第２設定値のいずれであっても前記特定示唆演出を実行可能な一方、前記所定条件が前記特定期間において成立したときには前記第２設定値では前記特定示唆演出を実行不可能であり前記第１設定値では前記特定示唆演出を実行可能である、請求項１に記載の遊技機。
【手続補正２】
【補正対象書類名】明細書
【補正対象項目名】０００７
【補正方法】変更
【補正の内容】
【０００７】
本発明のある局面に従う遊技機は、可変表示可能な表示手段を備え、可変表示が停止したときの表示結果に応じて特典を付与可能な遊技機において、有利度が異なる複数の設定値のうちいずれかの設定値を設定する設定手段と、前記設定値に関する情報を示唆可能な示唆演出を実行する示唆演出実行手段と、特定条件が成立することにより特定期間に制御する特定期間制御手段と、を備え、所定条件が成立することにより前記示唆演出実行手段によって実行され得る特定示唆演出については、当該所定条件が前記特定期間以外の期間において成立したときよりも前記特定期間において成立したときの方が遊技者にとって有利な情報を示唆する。
また、好ましくは、前記示唆演出実行手段は、前記所定条件が前記特定期間以外の期間において成立したときには前記複数の設定値のうち第１設定値および当該第１設定値よりも前記有利度が低い第２設定値のいずれであっても前記特定示唆演出を実行可能な一方、前記所定条件が前記特定期間において成立したときには前記第２設定値では前記特定示唆演出を実行不可能であり前記第１設定値では前記特定示唆演出を実行可能である。
また、本発明のある局面に従う遊技機は、可変表示可能な表示手段を備え、可変表示が停止したときの表示結果に応じて特典を付与可能な遊技機において、有利度が異なる複数の設定値のうちいずれかの設定値を設定する設定手段と、前記設定値に関する情報を示唆する複数種類の示唆演出のうちのいずれかを実行する示唆演出実行手段と、特定条件が成立することにより特定期間に制御する特定期間制御手段と、前記特定期間に制御されているときに当該特定期間中である旨を報知する報知手段とを備え、前記複数種類の示唆演出のうち所定条件が成立することにより所定タイミングにおいて実行され得る特定示唆演出については、当該所定条件が前記特定期間以外の期間において成立したときよりも前記特定期間において成立したときの方が遊技者にとって有利な情報を示唆する。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
可変表示可能な表示手段を備え、可変表示が停止したときの表示結果に応じて特典を付与可能な遊技機において、
有利度が異なる複数の設定値のうちいずれかの設定値を設定する設定手段と、
前記設定手段により設定されている設定値に応じて、遊技者にとって有利な有利状態に制御するか否かを決定する有利状態決定手段と、
前記設定手段により設定されている設定値に応じて、複数種類の選択用データのうちからいずれかを特定する選択用データ特定手段と、
特定演出を実行する契機が成立したときに、当該契機が成立した状況と前記選択用データ特定手段により特定された選択用データとに基づいて実行する前記特定演出の種類を選択する選択手段と、
前記選択手段により選択された特定演出を実行する実行手段とを備え、
前記複数種類の選択用データには、前記契機が成立した状況が特定状況であるときに前記特定演出の種類として特別特定演出を選択可能である特別選択用データが含まれており、
前記契機が成立した状況が特定状況であるときに前記特別特定演出を実行することで前記複数の設定値のうち遊技者に最も不利な不利設定値ではないことが特定可能である、遊技機。
【手続補正２】
【補正対象書類名】明細書
【補正対象項目名】０００７
【補正方法】変更
【補正の内容】
【０００７】
本発明のある局面に従う遊技機は、可変表示可能な表示手段を備え、可変表示が停止したときの表示結果に応じて特典を付与可能な遊技機において、有利度が異なる複数の設定値のうちいずれかの設定値を設定する設定手段と、前記設定手段により設定されている設定値に応じて、遊技者にとって有利な有利状態に制御するか否かを決定する有利状態決定手段と、前記設定手段により設定されている設定値に応じて、複数種類の選択用データのうちからいずれかを特定する選択用データ特定手段と、特定演出を実行する契機が成立したときに、当該契機が成立した状況と前記選択用データ特定手段により特定された選択用データとに基づいて実行する前記特定演出の種類を選択する選択手段と、前記選択手段により選択された特定演出を実行する実行手段とを備え、前記複数種類の選択用データには、前記契機が成立した状況が特定状況であるときに前記特定演出の種類として特別特定演出を選択可能である特別選択用データが含まれており、前記契機が成立した状況が特定状況であるときに前記特別特定演出を実行することで前記複数の設定値のうち遊技者に最も不利な不利設定値ではないことが特定可能である。
また、本発明のある局面に従う遊技機は、可変表示可能な表示手段を備え、可変表示が停止したときの表示結果に応じて特典を付与可能な遊技機において、有利度が異なる複数の設定値のうちいずれかの設定値を設定する設定手段と、前記設定手段により設定されている設定値に応じて、遊技者にとって有利な有利状態に制御するか否かを決定する有利状態決定手段と、前記設定手段により設定されている設定値に応じて、複数種類の選択用データのうちからいずれかを特定する選択用データ特定手段と、前記選択用データ特定手段により特定された選択用データと前記有利状態決定手段の決定結果とに基づいて、前記有利状態に制御する旨が決定されている可能性を示唆する複数種類の可能性演出のうちのいずれかを選択する選択手段と、前記選択手段により選択された可能性演出を実行する実行手段とを備え、前記複数種類の選択用データは、各々、前記有利状態が終了してから経過した経過期間に応じて前記可能性演出を選択するための割合が定められており、前記経過期間が特定期間であって前記有利状態に制御する旨が決定されていないときに前記複数種類の可能性演出のうちの特定可能性演出を選択する割合が前記複数種類の選択用データのうち特定の選択用データと当該特定の選択用データ以外の選択用データとで異なるように定められている。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段を備える遊技機であって、
前記遊技制御手段は、
遊技に関連する情報を記憶可能な第１の記憶領域と、前記第１の記憶領域とは異なる第２の記憶領域とを少なくとも有する記憶手段を有し、
停電を検出すると停電処理を実行し、前記停電処理が実行されたこと示す停電実行情報を前記記憶手段の前記第１の記憶領域及び前記第２の記憶領域のそれぞれに対して設定することを特徴とする遊技機。
【請求項２】
前記遊技制御手段は、
前記特別遊技の抽選が可能な処理の実行中は、前記第２の記憶領域へアクセスせず、前記第１の記憶領域にアクセスし、
前記特別遊技の抽選が行われない処理の実行中は、前記第１の記憶領域へアクセスせず、前記第２の記憶領域にアクセスし、
前記第１の記憶領域に記録される停電実行情報は、前記第１の記憶領域における停電処理において記録され、
前記第２の記憶領域に記録される停電実行情報は、前記第２の記憶領域における停電処理において記録されることを特徴とする請求項１に記載の遊技機。
【請求項３】
前記遊技制御手段は、
前記停電処理において、前記第１の記憶領域に記憶された内容の少なくとも一部を用いて第１のチェックデータを算出する第１のチェックデータ算出処理と、前記第２の記憶領域に記憶された内容の少なくとも一部を用いて第２のチェックデータを算出する第２のチェックデータ算出処理とをそれぞれ実行し、
前記第１のチェックデータの算出に伴って、前記停電実行情報を前記第１の記憶領域の第１の所定領域に設定し、
前記第２のチェックデータの算出に伴って、前記停電実行情報を前記第２の記憶領域の第２の所定領域に設定し、
前記第１の所定領域及び前記第２の所定領域は、前記第１のチェックデータ算出処理において使用されず、かつ、前記第２のチェックデータ算出処理において使用されないことを特徴とする請求項１又は２に記載の遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段を備える遊技機であって、前記遊技制御手段は、遊技に関連する情報を記憶可能な第１の記憶領域と、前記第１の記憶領域とは異なる第２の記憶領域とを少なくとも有する記憶手段を有し、停電を検出すると停電処理を実行し、前記停電処理が実行されたこと示す停電実行情報を前記記憶手段の前記第１の記憶領域及び前記第２の記憶領域のそれぞれに対して設定することを特徴とする（例えば、段落１１５４〜段落２２８２、図１２９〜図２３２などを参照）。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定可能とするために操作される設定操作手段と、を備える遊技機であって、
前記遊技制御手段は、
電源投入時に実行される電源投入時処理と、
停電を検出すると実行される停電処理と、
前記電源投入時処理の実行後に、遊技機の状態に応じて選択的に実行される第１の繰り返し処理又は第２の繰り返し処理と、
前記第１の繰り返し処理に対応して、所定の第１周期毎に実行される第１の定期処理と、
前記第２の繰り返し処理に対応して、所定の第２周期毎に実行される第２の定期処理と、を実行可能とし、
前記第１の繰り返し処理は、前記電源投入時処理の実行後に前記停電処理を実行するまでの間において、前記設定操作手段が操作可能な設定処理を実行するものであり、
前記第２の繰り返し処理の実行中は、前記電源投入時処理の実行後に前記停電処理を実行するまでの間において、特別遊技の抽選が可能な前記第２の定期処理を実行することを特徴とする遊技機。
【請求項２】
前記遊技制御手段は、
前記第１の定期処理を実行するタイミングを与える第１のタイマと、前記第２の定期処理を実行するタイミングを与える第２のタイマとは別に設けられており、
前記第１のタイマは、前記第１の繰り返し処理中に動作し、
前記第２のタイマは、前記第２の繰り返し処理中に動作することを特徴とする請求項１に記載の遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段が行う制御に関する設定値を設定可能とするために操作される設定操作手段と、を備える遊技機であって、前記遊技制御手段は、電源投入時に実行される電源投入時処理と、停電を検出すると実行される停電処理と、前記電源投入時処理の実行後に、遊技機の状態に応じて選択的に実行される第１の繰り返し処理又は第２の繰り返し処理と、前記第１の繰り返し処理に対応して、所定の第１周期毎に実行される第１の定期処理と、前記第２の繰り返し処理に対応して、所定の第２周期毎に実行される第２の定期処理と、を実行可能とし、前記第１の繰り返し処理は、前記電源投入時処理の実行後に前記停電処理を実行するまでの間において、前記設定操作手段が操作可能な設定処理を実行するものであり、前記第２の繰り返し処理の実行中は、前記電源投入時処理の実行後に前記停電処理を実行するまでの間において、特別遊技の抽選が可能な前記第２の定期処理を実行することを特徴とする（例えば、段落１１５４〜段落２２８２、図１２９〜図２３２などを参照）。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定可能とするために操作される設定操作手段と、を備える遊技機であって、
前記遊技制御手段は、
プログラムを実行する演算手段と、遊技に関する情報を記憶可能な記憶手段と、所定条件の成立を契機に前記演算手段にリセットを発生するリセット発生手段とを有し、
電源投入時に電源投入時処理を実行するものであって、
通常遊技状態において、前記リセット発生手段によってリセットが発生した場合、前記設定操作手段が操作可能な設定処理の実行に基づいて、前記記憶手段を初期化した後に通常の遊技の実行が可能となるようにする一方、前記電源投入時処理の所定のタイミングにおいて、前記リセット発生手段によってリセットが発生した場合、前記記憶手段を初期化することなく、通常の遊技の実行が可能となることを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段が行う制御に関する設定値を設定可能とするために操作される設定操作手段と、を備える遊技機であって、前記遊技制御手段は、プログラムを実行する演算手段と、遊技に関する情報を記憶可能な記憶手段と、所定条件の成立を契機に前記演算手段にリセットを発生するリセット発生手段とを有し、電源投入時に電源投入時処理を実行するものであって、通常遊技状態において、前記リセット発生手段によってリセットが発生した場合、前記設定操作手段が操作可能な設定処理の実行に基づいて、前記記憶手段を初期化した後に通常の遊技の実行が可能となるようにする一方、前記電源投入時処理の所定のタイミングにおいて、前記リセット発生手段によってリセットが発生した場合、前記記憶手段を初期化することなく、通常の遊技の実行が可能となることを特徴とする（例えば、段落１１５４〜段落２２８２、図１２９〜図２３２などを参照）。